(57)【要約】【課題】寒冷地の冬季に運転されても、熱交換器内部での氷結による影響を回避して、本来の熱交換換気を継続することができる換気装置を提供することを目的とする。【解決手段】熱交換器１１は、熱交排気流路９および熱交給気流路１０を、複数に分けて設けられた熱交換素子１２内のそれぞれに形成してなり、排気流４および給気流７を複数の内の１個の熱交換素子１２内に通風し、熱交排気流路９における氷結の影響から設定した所定の条件に基づき他の熱交換素子１２内に排気流４および給気流７の通風を順次切り換える構成としたことにより、本来の熱交換換気を継続して行うことができることとなる。【選択図】図２
2008286421.tif 000002
【特許請求の範囲】
【請求項１】
室内の空気を室外へ排気する排気流と、室外の空気を室内へ給気する給気流とを通風させて前記排気流と給気流との間で熱交換する熱交換器を備えた熱交換形換気装置であって、前記熱交換器は、前記排気流および給気流を通風させる熱交排気流路および熱交給気流路を、複数に分けて設けられた熱交換素子内のそれぞれに形成してなり、前記排気流および前記給気流を前記複数の内の１個の熱交換素子内に通風し、前記熱交排気流路における氷結の影響から設定した所定の条件に基づき他の前記熱交換素子内に前記排気流および給気流の通風を順次切り換える構成としたことを特徴とする熱交換形換気装置。
【請求項２】
熱交換していない熱交換素子内に排気流だけを通風する構成としたことを特徴とする請求項１に記載の熱交換換気装置。
【請求項３】
熱交換していない熱交換素子内の熱交排気流路に室内空気を通過させ、熱交換器を通過させずに室内に戻す室内空気循環流を形成する構成としたことを特徴とする請求項１に記載の熱交換形換気装置。
【請求項４】
熱交換していない熱交換素子内の熱交給気流路にも、室内空気を通過させて室内に戻す室内空気循環流を形成する構成とした請求項３に記載の熱交換形換気装置。
【請求項５】
熱交換していない熱交換素子内の熱交排気流路を通過させた室内空気を、熱交給気流路を通過させて室内に戻す室内空気循環流を形成する構成としたことを特徴とする請求項３に記載の熱交換形換気装置。
【請求項６】
熱交給気流路より下流側に給気温度検知手段を設け、前記給気温度検知手段が運転中に所定の温度を検知すると、排気流および給気流を他の熱交換素子内に切り換えて通風する構成としたことを特徴とする請求項１〜５のいずれかに記載の熱交換形換気装置。
【請求項７】
熱交給気流路より下流側に配設した給気温度検知手段と、室外の温度を検知する室外温度検知手段とを備え、前記室外温度検知手段が検知した室外温度の低下に対し、その低下より所定値大きい給気温度低下を前記給気温度検知手段が検知すると、排気流および給気流を他の熱交換素子内に切り換えて通風する構成としたことを特徴とする請求項１〜５のいずれかに記載の熱交換形換気装置。
【請求項８】
熱交給気流路より下流側に配設した給気温度検知手段と、室外の温度を検知する室外温度検知手段と、室内の温度を検知する室内温度検知手段とを備え、室外温度の低下と室内温度の低下との双方の低下から導出される給気温度の低下に対し、その導出される低下より所定値大きい給気温度低下を前記給気温度検知手段が検知すると、排気流および給気流を他の熱交換素子内に切り換えて通風する構成としたことを特徴とする請求項１〜５のいずれかに記載の熱交換形換気装置。
【請求項９】
室外の温度を検知する室外温度検知手段を備え、前記室外温度検知手段で検知した室外の温度に対する所定時間、その状態で運転を継続し、前記所定の時間経過後、排気流および給気流を他の熱交換素子内に切り換えて通風する構成としたことを特徴とする請求項１〜５のいずれかに記載の熱交換形換気装置。
【請求項１０】
室外の温度を検知する室外温度検知手段と、室内の温度および湿度を検知する室内温度検知手段および室内湿度検知手段とを備え、前記室外温度検知手段、室内温度検知手段および室内湿度検知手段で検知した室外の温度、室内の温度および湿度の組み合わせに対する所定の時間、その状態で運転を継続し、前記所定の時間経過後、排気流および給気流を他の熱交換素子内に切り換えて通風する構成としたことを特徴とする請求項１〜５のいずれかに記載の熱交換形換気装置。
【請求項１１】
室外の温度、室内の温度および湿度の組み合わせに対する運転時間を設定したテーブルをあらかじめ作成して記憶し、前記テーブルに基づいて排気流および給気流を通風する熱交換素子の切り換えを行う構成とした請求項１０に記載の熱交換形換気装置。
【請求項１２】
熱交排気流路より下流側に排気温度検知手段を設け、前記排気温度検知手段が運転中に所定の温度を検知すると、排気流および給気流を他の熱交換素子内に切り換えて通風する構成としたことを特徴とする請求項１〜５のいずれかに記載の熱交換形換気装置。
【請求項１３】
熱交排気流路より下流側に配設した排気温度検知手段と、室外の温度を検知する室外温度検知手段とを備え、前記室外温度検知手段が検知した室外温度の低下に対し、その低下より所定値大きい排気温度低下を前記排気温度検知手段が検知すると、排気流および給気流を他の熱交換素子内に切り換えて通風する構成としたことを特徴とする請求項１〜５のいずれかに記載の熱交換形換気装置。
【請求項１４】
熱交排気流路より下流側に配設した排気温度検知手段と、室外の温度を検知する室外温度検知手段と、室内の温度を検知する室内温度検知手段とを備え、室外温度の低下と室内温度の低下との双方の低下から導出される排気温度の低下に対し、その導出される低下より所定値大きい排気温度低下を前記排気温度検知手段が検知すると、排気流および給気流を他の熱交換素子内に切り換えて通風する構成としたことを特徴とする請求項１〜５のいずれかに記載の熱交換形換気装置。
【請求項１５】
熱交排気流路より下流側に排気流の通風状態を検知する排気流検知手段を設け、前記排気流検知手段が運転開始時に検知した排気流の通風状態に対し運転中に所定の変化を検知すると、排気流および給気流を他の熱交換素子内に切り換えて通風する構成としたことを特徴とする請求項１〜５のいずれかに記載の熱交換形換気装置。
【請求項１６】
排気流検知手段が排気流の風速を検知する風速検知手段からなる請求項１５に記載の熱交換形換気装置。
【請求項１７】
排気流検知手段が排気流の静圧を検知する静圧検知手段からなる請求項１５に記載の熱交換形換気装置。
【請求項１８】
複数の熱交換素子を平面視、重なる方向に並設した請求項１〜５のいずれかに記載の熱交換形換気装置。
【請求項１９】
断熱材を介して複数の熱交換素子を重ねて一体的に熱交換器を形成した請求項１８に記載の熱交換形換気装置。
【請求項２０】
排気流および給気流を、隣接した熱交換素子を１個以上とばして、他の熱交換素子内に切り換えて通風する構成とした請求項１８に記載の熱交換形換気装置。
【請求項２１】
複数の熱交換素子を平面的に並設した請求項１〜５のいずれかに記載の熱交換形換気装置。
【発明の詳細な説明】
【技術分野】
【０００１】
本発明は、寒冷地等で使用され、室内の空気を室外へ排気する排気流と、室外の空気を室内へ給気する給気流との間で熱交換する熱交換形換気装置に関する。
【背景技術】
【０００２】
この種の熱交換形換気装置は、冬季に室外の温度が、たとえば−１０℃以下のような低い温度になると、室内からの温かい排気流が流れる熱交換器内の流路内において、隣接する給気の流路に室外から通風される冷たい給気の影響を受けて氷結し目詰まりしていくが、従来の熱交換換気装置では、この氷結による目詰まりを防止する構成をとっていた（例えば、特許文献１参照）。
【０００３】
また、室外の温度が−２５℃のようなきわめて低い温度となる地域では、実用に供する熱交換形換気装置がないのが実状であった。
【０００４】
以下、特許文献１に示す熱交換形換気装置について、図１５〜図１７を参照しながら説明する。
【０００５】
図１５に示すように、内部に排気用ファン１０１および給気用ファン１０２を固着した電動機１０３と熱交換器１０４とを備えた本体１０５に、室内の空気を排気口１０６から室外へ排気する排気流１１３を通風させる排気流路１０７と、室外の空気を給気口１０８から室内へ給気する給気流１１２を通風させる給気流路１０９とを、熱交換器１０４内で交差するように形成し、給気流路１０９の熱交換器１０４より上流側に、給気流１１２を通風・遮断に切り換えるダンパー１１０と、本体１０５内に取り込んだ室外の空気の温度を検知する給気温度検知手段１１１とを設けている。
【０００６】
そして、図１６に示すように、給気温度検知手段１１１が、氷結直前の温度設定値として設定した、例えば−３℃を検知すると、ダンパー１１０が給気流路１０９を全閉して、給気流１１２を遮断状態にして排気流１１３だけの運転となり、氷結を未然に防止していた。温かい室内の空気の排気運転だけを継続して、給気温度検知手段１１１の雰囲気温度が所定の温度設定値まで上昇すると、ダンパー１１０は給気流路１０９を開放して、熱交換運転に戻ることとなる。
【０００７】
また、他の形態として図１７に示すように、ダンパー１１０が給気流１１２を遮断しているときに、温かい排気流１１３の一部を給気流路１０９に通風して熱交換器１０４内の熱交給気流路１０９ａを通過させ、この排気流１１３によって多少発生している氷結を解凍させていた。
【特許文献１】特開２００５−２３３４９４号公報（［００３３］、［００３４］、［００３６］、図２〜図４）
【発明の開示】
【発明が解決しようとする課題】
【０００８】
このような従来の熱交換形換気装置では、熱交換器１０４の氷結を防止するために給気流路１０９を遮断している間は、排気運転だけとなり、本来の室内の空気と室外の空気との間で熱交換しながら同時に給気・排気して換気する機能を果たさなくなり、さらに、排気流路１０７だけに通風している場合には、室内が負圧になって、建物の隙間から室外の空気が流入し、コールドドラフトや結露を発生することがあった。
【０００９】
本発明はこのような課題を解決するものであり、室外がきわめて低い温度となる寒冷地の冬季に運転されても、熱交換器内部での氷結の影響を回避して、本来の熱交換換気を継続して実施することができ、さらに、コールドドラフトや結露の発生がない快適な居住空間を実現できる換気装置を提供することを目的としている。
【課題を解決するための手段】
【００１０】
本発明の熱交換形換気装置は上記目的を達成するために、室内の空気を室外へ排気する排気流と、室外の空気を室内へ給気する給気流とを通風させて前記排気流と給気流との間で熱交換する熱交換器を備えた熱交換形換気装置であって、前記熱交換器は、前記排気流および給気流を通風させる熱交排気流路および熱交給気流路を、複数に分けて設けられた熱交換素子内のそれぞれに形成してなり、前記排気流および前記給気流を前記複数の内の１個の熱交換素子内に通風し、前記熱交排気流路における氷結の影響から設定した所定の条件に基づき他の前記熱交換素子内に前記排気流および給気流の通風を順次切り換える構成としたものである。
【００１１】
また、他の手段は、熱交換していない熱交換素子内に排気流だけを通風する構成としたものである。
【００１２】
また、他の手段は、熱交換していない熱交換素子内の熱交排気流路に室内空気を通過させ、熱交換器を通過させずに室内に戻す室内空気循環流を形成する構成としたものである。
【００１３】
また、他の手段は、熱交換していない熱交換素子内の熱交給気流路にも、室内空気を通過させて室内に戻す室内空気循環流を形成する構成としたものである。
【００１４】
また、他の手段は、熱交換していない熱交換素子内の熱交排気流路を通過させた室内空気を、熱交給気流路を通過させて室内に戻す室内空気循環流を形成する構成としたものである。
【００１５】
また、他の手段は、熱交給気流路より下流側に給気温度検知手段を設け、前記給気温度検知手段が運転中に所定の温度を検知すると、排気流および給気流を他の熱交換素子内に切り換えて通風する構成としたものである。
【００１６】
また、他の手段は、熱交給気流路より下流側に配設した給気温度検知手段と、室外の温度を検知する室外温度検知手段とを備え、前記室外温度検知手段が検知した室外温度の低下に対し、その低下より所定値大きい給気温度低下を前記給気温度検知手段が検知すると、排気流および給気流を他の熱交換素子内に切り換えて通風する構成としたものである。
【００１７】
また、他の手段は、熱交給気流路より下流側に配設した給気温度検知手段と、室外の温度を検知する室外温度検知手段と、室内の温度を検知する室内温度検知手段とを備え、室外温度の低下と室内温度の低下との双方の低下から導出される給気温度の低下に対し、その導出される低下より所定値大きい給気温度低下を前記給気温度検知手段が検知すると、排気流および給気流を他の熱交換素子内に切り換えて通風する構成としたものである。
【００１８】
また、他の手段は、室外の温度を検知する室外温度検知手段を備え、前記室外温度検知手段で検知した室外の温度に対する所定時間、その状態で運転を継続し、前記所定の時間経過後、排気流および給気流を他の熱交換素子内に切り換えて通風する構成としたものである。
【００１９】
また、他の手段は、室外の温度を検知する室外温度検知手段と、室内の温度および湿度を検知する室内温度検知手段および室内湿度検知手段とを備え、前記室外温度検知手段、室内温度検知手段および室内湿度検知手段で検知した室外の温度、室内の温度および湿度の組み合わせに対する所定の時間、その状態で運転を継続し、前記所定の時間経過後、排気流および給気流を他の熱交換素子内に切り換えて通風する構成としたものである。
【００２０】
また、他の手段は、室外の温度、室内の温度および湿度の組み合わせに対する運転時間を設定したテーブルをあらかじめ作成して記憶し、前記テーブルに基づいて排気流および給気流を通風する熱交換素子の切り換えを行う構成としたものである。
【００２１】
また、他の手段は、熱交排気流路より下流側に排気温度検知手段を設け、前記排気温度検知手段が運転中に所定の温度を検知すると、排気流および給気流を他の熱交換素子内に切り換えて通風する構成としたものである。
【００２２】
また、他の手段は、熱交排気流路より下流側に配設した排気温度検知手段と、室外の温度を検知する室外温度検知手段とを備え、前記室外温度検知手段が検知した室外温度の低下に対し、その低下より所定値大きい排気温度低下を前記排気温度検知手段が検知すると、排気流および給気流を他の熱交換素子内に切り換えて通風する構成としたものである。
【００２３】
また、他の手段は、熱交排気流路より下流側に配設した排気温度検知手段と、室外の温度を検知する室外温度検知手段と、室内の温度を検知する室内温度検知手段とを備え、室外温度の低下と室内温度の低下との双方の低下から導出される排気温度の低下に対し、その導出される低下より所定値大きい排気温度低下を前記排気温度検知手段が検知すると、排気流および給気流を他の熱交換素子内に切り換えて通風する構成としたものである。
【００２４】
また、他の手段は、熱交排気流路より下流側に排気流の通風状態を検知する排気流検知手段を設け、前記排気流検知手段が運転開始時に検知した排気流の通風状態に対し運転中に所定の変化を検知すると、排気流および給気流を他の熱交換素子内に切り換えて通風する構成としたものである。
【００２５】
また、他の手段は、排気流検知手段が排気流の風速を検知する風速検知手段からなるものである。
【００２６】
また、他の手段は、排気流検知手段が排気流の静圧を検知する静圧検知手段からなるものである。
【００２７】
また、他の手段は、複数の熱交換素子を平面視、重なる方向に並設したものである。
【００２８】
また、他の手段は、断熱材を介して複数の熱交換素子を重ねて一体的に熱交換器を形成したものである。
【００２９】
また、他の手段は、排気流および給気流を、隣接した熱交換素子を１個以上とばして、他の熱交換素子内に切り換えて通風する構成としたものである。
【００３０】
また、他の手段は、複数の熱交換素子を平面的に並設したものである。
【発明の効果】
【００３１】
本発明によれば、熱交換器の熱交換素子を複数に分けて設け、その内の１個の熱交換素子内に排気流および給気流を通風し、室外がきわめて低い温度になって熱交換素子内の熱交排気流路で氷結してくると、その氷結による影響を検知して、排気流および給気流は他の熱交換素子内に切り換えて通風されるので、本来の熱交換換気を続けることができ、通風が当初氷結した熱交換素子内に戻ってきたときには、氷結は融解し乾燥しているので、熱交換換気運転を正常に継続することができることとなる。また、この氷結の状態を精度高く検知し、氷結による影響の回避を確実に行うことができる。さらに、室内の排気と給気のバランスを容易にとることができるので、コールドドラフトや結露の発生のない快適な居住空間を実現することができることとなる。
【発明を実施するための最良の形態】
【００３２】
本発明の請求項１に記載の熱交換換気装置は、熱交換器は、排気流および給気流を通風させる熱交排気流路および熱交給気流路を、複数に分けて設けられた熱交換素子内のそれぞれに形成してなり、前記排気流および前記給気流を前記複数の内の１個の熱交換素子内に通風し、前記熱交排気流路における氷結の影響から設定した所定の条件に基づき他の前記熱交換素子内に前記排気流および給気流の通風を順次切り換える構成としたものであり、室外がきわめて低い温度となる寒冷地で運転されても、熱交排気流路での氷結の影響を受けないようにして、本来の熱交換換気を継続することができる。
【００３３】
また、請求項２に記載の熱交換換気装置は、請求項１に記載の熱交換換気装置について、熱交換していない熱交換素子内に排気流だけを通風する構成としたものであり、この排気流によって熱交排気流路の氷結を融解して乾燥させ、熱交換換気運転を長時間支障なく継続することができることとなる。
【００３４】
また、請求項３に記載の熱交換換気装置は、請求項１に記載の熱交換換気装置について、熱交換していない熱交換素子内の熱交排気流路に室内空気を通過させ、熱交換器を通過させずに室内に戻す室内空気循環流を形成する構成としたものであり、室内の排気と給気のバランスを容易にとることができるとともに、室内空気の有するエネルギーを室内に戻すことによって、エネルギーのロスを抑えることができる。
【００３５】
また、請求項４に記載の熱交換換気装置は、請求項３に記載の熱交換換気装置について、熱交換していない熱交換素子内の熱交給気流路にも、室内空気を通過させて室内に戻す室内空気循環流を形成する構成としたものであり、室内の排気と給気のバランスを容易にとることができるとともに、熱交排気流路における氷結の融解、乾燥を、熱交給気流路を通過する室内空気循環流によって促進することができる。
【００３６】
また、請求項５に記載の熱交換換気装置は、請求項３に記載の熱交換換気装置について、熱交換していない熱交換素子内の熱交排気流路を通過させた室内空気を、熱交給気流路を通過させて室内に戻す室内空気循環流を形成する構成としたものであり、室内の排気と給気のバランスをとること、および、熱交排気流路における氷結の融解、乾燥を一つの流れの室内空気循環流で達成できることとなる。
【００３７】
また、請求項６に記載の熱交換換気装置は、請求項１〜５のいずれかに記載の熱交換換気装置について、熱交給気流路より下流側に給気温度検知手段を設け、前記給気温度検知手段が運転中に所定の温度を検知すると、排気流および給気流を他の熱交換素子内に切り換えて通風する構成としたものであり、熱交換器内を氷結させるような低温の給気流の通風があっても、本来の熱交換換気を継続することができる。
【００３８】
また、請求項７に記載の熱交換換気装置は、請求項１〜５のいずれかに記載の熱交換換気装置について、熱交給気流路より下流側に配設した給気温度検知手段と、室外の温度を検知する室外温度検知手段とを備え、前記室外温度検知手段が検知した室外温度の低下に対し、その低下より所定値大きい給気温度低下を前記給気温度検知手段が検知すると、排気流および給気流を他の熱交換素子内に切り換えて通風する構成としたものであり、室外温度の低下を加味して熱交換器内の氷結を検知し、その氷結による影響の回避の精度を高めることができることとなる。
【００３９】
また、請求項８に記載の熱交換換気装置は、請求項１〜５のいずれかに記載の熱交換換気装置について、熱交給気流路より下流側に配設した給気温度検知手段と、室外の温度を検知する室外温度検知手段と、室内の温度を検知する室内温度検知手段とを備え、室外温度の低下と室内温度の低下との双方の低下から導出される給気温度の低下に対し、その導出される低下より所定値大きい給気温度低下を前記給気温度検知手段が検知すると、排気流および給気流を他の熱交換素子内に切り換えて通風する構成としたものであり、室外温度の低下に加えて室内温度の低下を考慮して熱交換器内の氷結を検知し、その氷結による影響の回避の精度をより高めることができることとなる。
【００４０】
また、請求項９に記載の熱交換換気装置は、請求項１〜５のいずれかに記載の熱交換換気装置について、室外の温度を検知する室外温度検知手段を備え、前記室外温度検知手段で検知した室外の温度に対する所定時間、その状態で運転を継続し、前記所定の時間経過後、排気流および給気流を他の熱交換素子内に切り換えて通風する構成としたものであり、熱交換器内の氷結による影響回避を簡単な構成で実現できることとなる。
【００４１】
また、請求項１０に記載の熱交換換気装置は、請求項１〜５のいずれかに記載の熱交換換気装置について、室外の温度を検知する室外温度検知手段と、室内の温度および湿度を検知する室内温度検知手段および室内湿度検知手段とを備え、前記室外温度検知手段、室内温度検知手段および室内湿度検知手段で検知した室外の温度、室内の温度および湿度の組み合わせに対する所定の時間、その状態で運転を継続し、前記所定の時間経過後、排気流および給気流を他の熱交換素子内に切り換えて通風する構成としたものであり、室内と室外の状況から氷結による影響をより精度高く回避して、熱交換換気の継続を実施できるものとなる。
【００４２】
また、請求項１１に記載の熱交換換気装置は、請求項１０に記載の熱交換換気装置について、室外の温度、室内の温度および湿度の組み合わせに対する運転時間を設定したテーブルをあらかじめ作成して記憶し、前記テーブルに基づいて排気流および給気流を通風する熱交換素子の切り換えを行う構成としたものであり、熱交換換気運転を容易に制御できることとなる。
【００４３】
また、請求項１２に記載の熱交換換気装置は、請求項１〜５のいずれかに記載の熱交換換気装置について、熱交排気流路より下流側に排気温度検知手段を設け、前記排気温度検知手段が運転中に所定の温度を検知すると、排気流および給気流を他の熱交換素子内に切り換えて通風する構成としたものであり、支障を引き起こす氷結の状態を直接検知して、精度の高い影響回避を実現できる。
【００４４】
また、請求項１３に記載の熱交換換気装置は、請求項１〜５のいずれかに記載の熱交換換気装置について、熱交排気流路より下流側に配設した排気温度検知手段と、室外の温度を検知する室外温度検知手段とを備え、前記室外温度検知手段が検知した室外温度の低下に対し、その低下より所定値大きい排気温度低下を前記排気温度検知手段が検知すると、排気流および給気流を他の熱交換素子内に切り換えて通風する構成としたものであり、室外の温度の低下を加味して熱交換器内の氷結を検知し、氷結による影響の回避の精度をより高めることができることとなる。
【００４５】
また、請求項１４に記載の熱交換換気装置は、請求項１〜５のいずれかに記載の熱交換換気装置について、熱交排気流路より下流側に配設した排気温度検知手段と、室外の温度を検知する室外温度検知手段と、室内の温度を検知する室内温度検知手段とを備え、室外温度の低下と室内温度の低下との双方の低下から導出される排気温度の低下に対し、その導出される低下より所定値大きい排気温度低下を前記排気温度検知手段が検知すると、排気流および給気流を他の熱交換素子内に切り換えて通風する構成としたものであり、室外温度の低下に加えて室内温度の低下を考慮して熱交換器内の氷結を検知し、氷結による影響の回避の精度をさらに高めることができることとなる。
【００４６】
また、請求項１５に記載の熱交換換気装置は、請求項１〜５のいずれかに記載の熱交換換気装置について、熱交排気流路より下流側に排気流の通風状態を検知する排気流検知手段を設け、前記排気流検知手段が運転開始時に検知した排気流の通風状態に対し運転中に所定の変化を検知すると、排気流および給気流を他の熱交換素子内に切り換えて通風する構成としたものであり、排気流の変化を検知する手段だけで氷結による影響の回避ができることとなる。
【００４７】
また、請求項１６に記載の熱交換換気装置は、請求項１５に記載の熱交換換気装置について、排気流検知手段が排気流の風速を検知する風速検知手段からなるものであり、排気流の風速を直接検知することで、熱交換器内の氷結状態を応答よく検知できる。
【００４８】
また、請求項１７に記載の熱交換換気装置は、請求項１５に記載の熱交換換気装置について、排気流検知手段が排気流の静圧を検知する静圧検知手段からなるものであり、熱交換器内にむらが生じることがある氷結を全体的な影響として検知でき、より精度の高い氷結による影響の回避ができることとなる。
【００４９】
また、請求項１８に記載の熱交換換気装置は、請求項１〜５のいずれかに記載の熱交換換気装置について、複数の熱交換素子を平面視、重なる方向に並設したものであり、熱交換器を複数の熱交換素子に分けて形成しても、熱交換器を平面視の方向に大きくならない構成とすることができる。
【００５０】
また、請求項１９に記載の熱交換換気装置は、請求項１８に記載の熱交換換気装置について、断熱材を介して複数の熱交換素子を重ねて一体的に熱交換器を形成したものであり、複数の熱交換素子は、隣の熱交給気流路の低温の影響を受けずに、積み重ねる方向にコンパクトに形成することができることとなる。
【００５１】
また、請求項２０に記載の熱交換換気装置は、請求項１８に記載の熱交換換気装置について、排気流および給気流を、隣接した熱交換素子を１個以上とばして、他の熱交換素子内に切り換えて通風する構成としたものであり、隣の熱交給気流路の低温の影響を受けなくなり、断熱等の措置が不要となる。
【００５２】
また、請求項２１に記載の熱交換換気装置は、請求項１〜５のいずれかに記載の熱交換換気装置について、複数の熱交換素子を平面的に並設したものであり、隣の熱交給気流路の低温の影響を受けないので、断熱等の措置や、熱交換素子内への通風切り換えを並設順に連続して行わないという措置が不要となる。
【００５３】
以下、本発明の実施の形態について、図１〜図１４を参照しながら説明する。
【００５４】
（実施の形態１）
図１に示すように、箱状の本体１の内部に、電動機２の回転軸に固着された排気用ファン３によって室内の空気を室外へ排出する排気流４を通風させる排気流路５と、同じく電動機２の回転軸に固着された給気用ファン６によって室外の空気を室内に給気する給気流７を通風させる給気流路８とを、一箇所で交差するように形成し、この交差する箇所に、排気流４が通過する熱交排気流路９と給気流７が通過する熱交給気流路１０とを備えた熱交換器１１を設けている。熱交換器１１は、熱交排気流路９および熱交給気流路１０が複数の流路に分かれて形成されるように複数の熱交換素子１２からなり、この複数の熱交換素子１２を本実施の形態１では、図１の紙面に対し垂直方向に重なる状態に、すなわち、平面視、重なる方向に並べて設けている。
【００５５】
上記のように構成された熱交換換気装置の寒冷地における冬季の運転について、以下に説明する。
【００５６】
なお図２は、複数の熱交換素子１２における排気流４および給気流７の通風の仕方について理解を容易にするために、平面視、重なる方向に並設した熱交換素子１２を、説明上、平面上に展開して示したものである。
【００５７】
熱交換器１１は、図２に示すように５個の熱交換素子１２ａ、１２ｂ、１２ｃ、１２ｄ、１２ｅからなり、室内の空気を室外に排気する排気流４は排気流４ａ、４ｂ、４ｃ、４ｄ、４ｅに分流して、すべての熱交換素子１２ａ、１２ｂ、１２ｃ、１２ｄ、１２ｅの熱交排気流路９ａ、９ｂ、９ｃ、９ｄ、９ｅを流れるように通風され、一方、給気流７は１個の熱交換素子１２ａのみの熱交給気流路１０ａに流れるように通風される構成で、運転が開始される。すなわち、運転当初、５個のうち１個の熱交換素子１２ａ内に排気流４ａと給気流７とが通風されて、この排気流４ａと給気流７との間で熱交換され、残り４個の熱交換素子１２ｂ、１２ｃ、１２ｄ、１２ｅには排気流４ｂ、４ｃ、４ｄ、４ｅだけが通風されている。
【００５８】
運転開始後、給気流路８の熱交給気流路１０より下流側に設けた給気温度検知手段１３によって給気流７の温度を検知していく。そして、室外の温度が０℃未満となるような低温時に運転を続け熱交換素子１２ａで熱交換が続くと、冷たい給気流７によって温かい排気流４の流れる熱交排気流路９ａで徐々に結露し氷結していく。氷結していくと熱交換機能がわずかずつ低下していき、熱交換による排気流４ａから給気流７への熱の移動が低下し、熱交給気流路１０ａを通過した給気流７の温度が徐々に低くなっていく。そこで、低温の給気流７について、その通風が続くと熱交換器１１の熱交換機能上、支障が起こる氷結状態を引き起こす温度を、氷結温度Ｆ℃として、あらかじめ設定しておく。そして、給気温度検知手段１３が氷結温度Ｆ℃を検知すると、排気流４ａおよび給気流７を通風している熱交換素子１２ａを、隣に並設した熱交換素子１２ｂに切り換えて通風する。熱交換素子１２ｂは、それまで熱交排気流路９ｂに温かい排気流４ｂが流れていて正常な状態にあり、本来の熱交換換気を継続することができる。
【００５９】
そして、さらに運転を続けると、熱交排気流路９ｂで徐々に氷結していくので、上記熱交換素子１２ａと同様にして、次に設けられた熱交換素子１２ｃに切り換えて排気流４ｃおよび給気流７を通風し、以下同様にして、順次熱交換素子１２を切り換えていく。
【００６０】
この切り換えが一巡して当初の熱交換素子１２ａに戻ってきたときは、熱交換素子１２ａには温かい排気流４ａのみが流れていたので、当初の氷結がなくなり乾燥した正常な状態に復帰している。
【００６１】
また、上記構成の熱交換器１１について、図示していないが、並設された熱交換素子１２間に断熱材を介在させて一体的に形成すれば、排気流４および給気流７を通風する熱交換素子１２を切り換えた際、それまで通風していた隣の熱交換素子１２の低温の影響を受けないので、積み重ねる方向にコンパクトに形成することができる。
【００６２】
また、上記の運転では、排気流４および給気流７を隣に設けた熱交換素子１２に順次切り換えていく構成について説明したが、熱交換素子１２を１個または２個とばして切り換えていってもよく、この場合、上記の断熱材を廃止することが可能となる。
【００６３】
このように、本発明の実施の形態１の熱交換換気装置によれば、室外の温度がきわめて低い寒冷地の冬季に運転しても、本来の熱交換をしながら換気を継続して行うことができ、寒冷地における快適な居住空間を実現すことができることとなる。
【００６４】
なお、排気流４と給気流７の風量については特定しなかったが、熱交換していない熱交換素子１２に通風する排気流４の風量を調節して、全体の排気流４と給気流７の風量バランスをとるようにすれば、より好適なものとなる。
【００６５】
（実施の形態２）
図２は前述したように、実施の形態１では説明用に複数の熱交換素子１２ａ、１２ｂ、１２ｃ、１２ｄ、１２ｅを平面的に展開して示したが、本実施の形態２では、図２に示すように複数の熱交換素子１２ａ、１２ｂ、１２ｃ、１２ｄ、１２ｅを平面的に並設して実施するものである。
【００６６】
このように熱交換素子１２ａ、１２ｂ、１２ｃ、１２ｄ、１２ｅを並設することによって、隣に設けた熱交換素子１２の熱交給気流路１０の低温の影響を受けることがなくなり、熱交換素子１２間の断熱材の配設や、排気流４および給気流７の通風の切り換えを熱交換素子１２の並設順に行わない等の構成が不要となる。
【００６７】
（実施の形態３）
図３に示すように、熱交換していない熱交換素子１２ｂ、１２ｃ、１２ｄ、１２ｅ（図３の左側に示す運転当初の場合）の熱交排気流路９ｂ、９ｃ、９ｄ、９ｅに室内空気を通過させ、通過した室内空気を熱交換器１１を通過させずに室内に戻す室内空気循環流４ｇ、４ｈ、４ｉ、４ｊを形成する構成としている。
【００６８】
上記構成において、熱交換していない熱交換素子１２ｂ、１２ｃ、１２ｄ、１２ｅの熱交排気流路９ｂ、９ｃ、９ｄ、９ｅを通過する室内空気循環流４ｇ、４ｈ、４ｉ、４ｊは、室外へは排出せずに室内に戻し、さらに熱交換器１１を通過させずに通気抵抗による圧力損失が小さい状態で室内に戻して循環しているので、室内の排気と給気のバランスは、熱交換している熱交換素子１２ａを流れる排気流４ａと給気流７だけでほぼ最適なものに設定でき、また、室内空気の有するエネルギーも室内に戻されるので、エネルギーのロスを抑えることができる。
【００６９】
このように、本発明の実施の形態３の熱交換換気装置によれば、寒冷地においてより快適な居住空間を実現できることとなる。
【００７０】
（実施の形態４）
図４に示すように、図３に示す実施の形態３に対し、熱交換していない熱交換素子１２ｂ、１２ｃ、１２ｄ、（図４の左側に示す運転当初の場合）内の熱交給気流路１０ｂ、１０ｃ、１０ｄ、１０ｅにも、室内空気を通過させて室内に戻す室内空気循環流４ｌ、４ｍ、４ｎ、４ｎを形成する構成としている。
【００７１】
上記構成の熱交換換気装置を運転すると、熱交換していない熱交換素子１２ｂ、１２ｃ、１２ｄ、１２ｅの熱交給気流路１０ｂ、１０ｃ、１０ｄ、１０ｅにも室内空気循環流４ｌ、４ｍ、４ｎ、４ｏが流れる。そして、運転を継続して熱交換素子１２ａ内に氷結が生じ、排気流４ａと給気流７の通風が次の熱交換素子１２ｂに切り換わった後、熱交換素子１２ａ内では、熱交排気流路９ａを流れる温かい室内空気循環流４ｆによって氷結を融解し乾燥していくが、さらに、熱交給気流路１０ａを流れる温かい室内空気循環流４ｋから熱交排気流路９ａに熱が移動して、その氷結の融解、乾燥が促進され、氷結した熱交換素子１２ａの正常な状態への復帰が早められることとなる。
【００７２】
（実施の形態５）
図５に示すように、図３に示す実施の形態３の室内空気循環流４ｆ、４ｇ、４ｈ、４ｉ、４ｊについて、熱交排気流路９を通過した室内空気を熱交給気流路１０を通過させて室内に戻す室内空気循環流４ｐ、４ｑ、４ｒ、４ｓ、４ｔを形成する構成としている。
【００７３】
上記構成によれば、熱交換素子１２の熱交排気流路９および熱交給気流路１０の両流路を流れる室内空気循環流４ｐ、４ｑ、４ｒ、４ｓ、４ｔによって、氷結している熱交排気流路９における氷結の融解、乾燥をし、上記実施の形態４と同様に氷結した熱交換素子１２ａの正常な状態への復帰が早められるが、この作用・効果が１つの流れの室内空気循環流４ｐ、４ｑ、４ｒ、４ｓ、４ｔで達成できることとなる。
【００７４】
（実施の形態６）
図６に示すように、本体１内の熱交換器１１の熱交給気流路１０より下流側に給気温度検知手段１３と、本体１内の給気流７の吸込口近傍に室外温度検知手段１４とを設けている。
【００７５】
上記構成の熱交換換気装置の寒冷地における冬季の運転について、以下に説明する。
【００７６】
運転を開始すると、給気温度検知手段１３によって熱交換器１１の熱交給気流路１０を通過した給気流７の温度を、室外温度検知手段１４によって室外温度を、それぞれ検知していく。室外温度が低下し室外から流入する給気流７の温度が低下すると、それにともなって給気温度検知手段１３が検知する給気流７の温度が低下するので、室外温度の低下値に対するその給気流７の温度の低下を実験、計算等により導出しておく（この室外温度低下による給気流７の温度低下を０℃とする）。そして、室外から０℃未満のような低温の給気流７の通風が続くと、熱交排気流路９で徐々に氷結していき、熱交換機能が低下して熱交換による排気流４から給気流７への熱の移動が低下し、上記導出の温度底下０℃以上に、給気温度検知手段１３で検知する給気温度において大きな低下が起こってくる。そこで、熱交換器１１の熱交換機能上、支障が起こる氷結状態を引き起こす給気流７の温度低下Ｄ℃をあらかじめ設定しておく。
【００７７】
そして、室外温度検知手段１４が室外温度の低下を検知し、給気温度検知手段１３が、この室外温度の低下に対する導出の温度低下０℃よりＤ℃大きな温度低下（０＋Ｄ）℃を検知すると、排気流４および給気流７を隣に並設した熱交換素子１２に切り換えて通風する。
【００７８】
このように本実施の形態６の熱交換換気装置によれば、室外温度の低下を加味して熱交換器１１の氷結を検知するので、その氷結による影響の回避の精度を高めることができることとなる。
【００７９】
（実施の形態７）
図７に示すように、本体１内の熱交換器１１の熱交給気流路１０より下流側に給気温度検知手段１３と、本体１内の給気流７の吸込口近傍に室外温度検知手段１４と、本体１内の排気流４の吸込口近傍に室内温度検知手段１５とを設けている。
【００８０】
上記構成の熱交換換気装置の寒冷地における冬季の運転について、以下に説明する。
【００８１】
運転を開始すると、給気温度検知手段１３によって熱交換器１１の熱交給気流路１０を通過した給気流７の温度を、室外温度検知手段１４によって室外温度を、室内温度検知手段１５によって室内温度を、それぞれ検知していく。室外温度が低下し、さらに室内の空調温度の調節等によって室内温度が低下すると、この双方の低下にともなって上記給気流７の温度も低下するので、室外温度の低下と室内温度の低下に対する上記給気流７の温度の低下を実験および計算等により導出しておく（この室外温度低下および室内温度低下による給気流の温度低下をＰ℃とする）。そして、室外から０℃未満のような低温の給気流７の通風が続くと、熱交排気流路９で徐々に氷結していき、熱交換機能が低下して熱交換による排気流４から給気流７への熱の移動が低下し、上記導出の温度低下Ｐ℃以上に、給気温度検知手段１３で検知する給気温度において大きな低下が起こってくる。そこで、熱交換器１１の熱交換機能上、支障が起こる氷結状態を引き起こす温度低下Ｄ℃をあらかじめ設定しておく。
【００８２】
そして、室外温度検知手段１４が室外温度の低下を、室内温度検知手段１５が室内温度の低下を、それぞれ検知し、給気温度検知手段１３が、この室外温度の低下および室内温度の低下に対する導出の温度低下Ｐ℃よりＤ℃大きな温度低下（Ｐ＋Ｄ）℃を検知すると、排気流４および給気流７を隣に並設した熱交換素子１２に切り換えて通風する。
【００８３】
このように本実施の形態７の熱交換換気装置によれば、室外温度の低下に加えて室内温度の低下を考慮して熱交換器１１の氷結を検知するので、その氷結による影響の回避の精度をより高めることができることとなる。
【００８４】
（実施の形態８）
図８に示すように、本体１内の給気流７の吸込口近傍に室外温度検知手段１４と、この室外温度検知手段１４が検知した室外温度に対する所定時間、その時の状態で熱交換換気装置の運転を継続させる運転制御手段（図示せず）を設けている。
【００８５】
室外温度と、熱交換換気装置をその時の状態で運転する所定時間との関係は、とくに冬季に、室外からの冷たい給気流７を熱交換器１１に通風して、その給気流７の温度で何分程度通風が継続されると熱交換機能上支障が起こる氷結状態になるかということから、その時の状態での継続可能運転時間を所定運転時間Ｔ分としてあらかじめ実験、計算等で導出することによって、設定される。
【００８６】
上記構成の熱交換換気装置は、運転が開始されると、室外温度検知手段１４で室外温度を検知し、その検知温度に対する所定運転時間Ｔ分、その時の状態で、すなわち、その時排気流４および給気流７が通風されている熱交換素子１２に、そのまま排気流４および給気流７を通風する状態で、運転が継続される。そして、所定運転時間Ｔ分が経過すると、排気流４および給気流７を隣に並設した熱交換素子１２に切り換えて通風する。
【００８７】
そして、切り換えられた熱交換素子１２では、上記と同様にして、室外温度を検知して、その検知室外温度に対する所定運転時間Ｔ分、運転を継続し、その後、次の熱交換素子１２に切り換わり、以下、同様にして順次熱交換素子１２を切り換えていく。
【００８８】
このように本実施の形態８によれば、熱交換器１１の氷結の影響回避を、室外温度を検知し、この室外温度に対する運転継続時間をあらかじめ設定しておくだけの簡単な構成で実現できることとなる。
【００８９】
なお、熱交換器１１内の氷結の心配がない室外温度に対しては、運転継続時間を氷結の観点から一定時間に設定する必要はない。
【００９０】
（実施の形態９）
図９に示すように、本体１内の給気流７の吸込口近傍に室外温度検知手段１４と、本体１内の排気流４の吸込口近傍に室内温度検知手段１５および室内湿度検知手段１６とを設けている。そして、室外温度、室内温度、室内湿度の３個のファクターと結露とは相関性があるので、これら３個のファクターの組み合わせと、結露の難易および結露から氷結に変わる氷結時間との関係に基づいて、検知してから氷結による熱交換機能上の支障が起こるまでの時間を、あらかじめ実験、計算等により所定運転時間Ｕ分として設定し、運転制御手段（図示せず）に記憶しておく。
【００９１】
上記構成の熱交換換気装置は、とくに寒冷地における冬季に運転されると、室外温度検知手段１４で室外温度を、室内温度検知手段１５で室内温度を、室内湿度検知手段１６で室内湿度を、それぞれ検知し、これら３個の検知値の組み合わせに対する所定運転時間Ｕ分、その時の状態で、すなわち、その時排気流４および給気流７が通風されている熱交換素子１２に、そのまま排気流４および給気流７を通風する状態で、運転が継続される。そして、所定運転時間Ｕ分が経過すると、排気流４および給気流７を隣に並設した熱交換素子１２に切り換えて通風する。
【００９２】
そして、切り換えられた熱交換素子１２では、上記と同様にして、室外温度、室内温度および室内湿度を検知して、これらの検知値に対する所定運転時間Ｕ分、運転を継続し、その後、次の熱交換素子１２に切り換わり、以下、同様にして順次熱交換素子１２を切り換えていく。
【００９３】
このように、本発明の実施の形態９の熱交換換気装置によれば、室外と室内の状況（温度および湿度）に基づいて熱交換器１１内の氷結の影響を回避するようにしているので、寒冷地における熱交換換気を確実に実施できることとなる。
【００９４】
また、想定できる室外、室内の状況から、上記３個のファクターの複数の組み合わせに対する所定運転時間Ｕ分をまとめたテーブルを作成して運転制御手段（図示せず）に記憶し、運転時、このテーブルに基づき排気流４および給気流７を通風する熱交換素子１２の切り換えを実施することによって、氷結の影響を回避した熱交換換気運転を精度よく、容易に制御することができることとなる。
【００９５】
なお、上記実施の形態８と同様に、熱交換器１１内の氷結の心配がない室外および室内の状態に対しては、運転継続時間を氷結の観点から一定時間に設定する必要はない。
【００９６】
（実施の形態１０）
図１に示す実施の形態１の給気温度検知手段１３に対し、本実施の形態１０では図１０に示すように、本体１内の熱交換器１１の熱交排気流路９より下流側に排気温度検知手段１７を設けている。
【００９７】
熱交換換気装置を寒冷地の冬季に運転すると熱交換器１１の熱交排気流路９で氷結してくることは、実施の形態１で説明したとおりであるが、氷結していく熱交排気流路９を通過した排気流４の温度は、氷結が進むにつれて徐々に低下していく。そこで、熱交換器１１の熱交換機能上、支障が起こる氷結状態となった熱交排気流路９を通過した排気流４の温度として、あらかじめ実験、計算等により排気流における氷結温度Ｇ℃を設定しておく。
【００９８】
上記構成の熱交換換気装置は、運転中に熱交排気流路９を通過した排気流４の温度を排気温度検知手段１７で検知していき、所定の氷結温度Ｇ℃を検知すると、排気流４および給気流７を隣に並設した熱交換素子１２に切り換えて通風する。
【００９９】
このように本実施の形態１０では、氷結が生じる熱交排気流路９を通過した排気流４の温度を検知して氷結による影響の回避をしているので、支障を引き起こす氷結の状態を直接検知することとなり、精度の高い回避を実現できる。
【０１００】
（実施の形態１１）
本実施の形態１１では図１１に示すように、図１０に示す実施の形態１０に加えて、本体１内の給気流７の吸込口近傍に室外温度検知手段１４を設けている。
【０１０１】
室外温度が低下し室外から流入する給気流７の温度が低下すると、この給気流７の温度低下にともなって、熱交換器１１で給気流７と熱交換される排気流４の温度が低下するので、室外温度の低下値に対する排気流４の温度の低下を実験、計算等により導出しておく（この室外温度低下による排気流４の温度低下をＨ℃とする）。そして、室外から０℃未満のような低温の給気流７の通風が続くと、熱交排気流路９で徐々に氷結していき、上記導出の温度低下Ｈ℃以上に、排気温度検知手段１７で検知する排気温度において大きな低下が起こってくる。そこで、熱交換器１１の熱交換機能上、支障が起こる氷結状態を引き起こす排気流４の温度低下Ｅ℃をあらかじめ設定しておく。
【０１０２】
そして、室外温度検知手段１４が室外温度の低下を検知し、排気温度検知手段１７が、この室外温度の低下に対する導出の温度低下Ｈ℃よりＥ℃大きな温度低下（Ｈ＋Ｅ）℃を検知すると、排気流４および給気流７を隣に並設した熱交換素子１２に切り換えて通風する。
【０１０３】
このように本実施の形態１１の熱交換換気装置によれば、上記実施の形態１０の作用効果に加えて、室外温度の低下を加味して熱交換器１１の氷結を検知するので、その氷結による影響の回避の精度をより高めることができることとなる。
【０１０４】
（実施の形態１２）
本実施の形態１２では図１２に示すように、図１１に示す実施の形態１１に加えて、本体１内の排気流４の吸込口近傍に室内温度検知手段１５を設けている。
【０１０５】
室外温度が低下すると、上記実施の形態１１での説明のように、熱交換器１１を通過した排気流４の温度が低下し、さらに室内の空調温度の調節等によって室内温度が低下すると、この温度低下にともなう排気流４の温度低下も起こる。そこで、室外温度の低下値および室内温度の低下値に対する排気流４の温度の低下値を実験、計算等により導出しておく（この室外温度低下および室内温度低下による排気流の温度低下をＩ℃とする）。
【０１０６】
そして、室外温度検知手段１４が室外温度の低下を、室内温度検知手段１５が室内温度の低下を、それぞれ検知し、排気温度検知手段１７が、この室外温度の低下および室内温度の低下に対する導出の温度低下Ｉ℃よりＥ℃大きな温度低下（Ｉ＋Ｅ）℃を検知すると、排気流４および給気流７を隣に並設した熱交換素子１２に切り換えて通風する。
【０１０７】
このように本実施の形態１２の熱交換換気装置によれば、上記実施の形態１１における室外温度の低下に加えて室内温度の低下を考慮して熱交換器１１の氷結を検知するので、その氷結による影響の回避の精度をさらに高めることができることとなる。
【０１０８】
（実施の形態１３）
図１３に示すように、本体１内の熱交換器１１の熱交排気流路９より下流側に排気流４の通風状態を検知する排気流検知手段としての風速検知手段１８を設けている。
【０１０９】
上記構成の熱交換換気装置の運転を開始すると、風速検知手段１８によって排気流４の風速を検知する。このときの風速には、熱交排気流路９における給気流７の低温の影響が表れておらず、排気流４が正常に熱交排気流路９を流れているときの値である。
【０１１０】
とくに寒冷地の冬季に運転を続けると、熱交排気流路９で給気流７の低温の影響を受けて徐々に氷結して排気流４の流れを阻害していく。そして、風速検知手段１８が運転開始時に検知した風速より所定の風速差Ｖｍ／ｓｅｃを検知すると、排気流４および給気流７を隣に並設した熱交換素子１２に切り換えて通風する。以下同様にして熱交換素子１２を順次切り換えていく。ここで、所定の風速差Ｖｍ／ｓｅｃは、熱交換器１１の熱交換機能上支障が起こる氷結状態から、あらかじめ実験、計算等により設定した風速の低下値である。
【０１１１】
このように本発明の実施の形態１３の熱交換換気装置によれば、排気流４の風速を検知するだけの簡単な構成で、また風速を直接検知することで熱交換器１１内の氷結状態を応答よく検知して、氷結の影響を回避できることとなる。
【０１１２】
（実施の形態１４）
図１４に示すように、上記実施の形態１３に対し、排気流検知手段として熱交換器１１の熱交排気流路９より下流側の排気流路５の静圧を検知する静圧検知手段１９を設けている。
【０１１３】
氷結過程の熱交排気流路９を通過した直後の排気流４の流れは、排気流路５を通風方向に直交して断面して見ると、氷結の分布状態によってむらが生じていることがあるが、本実施の形態１４では排気流路５における静圧を検知するようにしているので、熱交排気流路９内の氷結を全体的な影響として検知でき、より精度の高い氷結回避をすることが可能となる。
【産業上の利用可能性】
【０１１４】
本発明に係る熱交換換気装置は、室外がきわめて低い温度であっても、本来の熱交換換気を継続して行うことができ、寒冷地の冬季に熱交換換気する換気装置として有用である。
【図面の簡単な説明】
【０１１５】
【図１】本発明の実施の形態１の熱交換換気装置を示す断面図
【図２】同熱交換換気装置の排気流および給気流の通風の仕方を示す説明図
【図３】本発明の実施の形態３の熱交換換気装置の排気流および給気流の通風の仕方を示す説明図
【図４】本発明の実施の形態４の熱交換換気装置の排気流および給気流の通風の仕方を示す説明図
【図５】本発明の実施の形態５の熱交換換気装置の排気流および給気流の通風の仕方を示す説明図
【図６】本発明の実施の形態６の熱交換換気装置を示す断面図
【図７】本発明の実施の形態７の熱交換換気装置を示す断面図
【図８】本発明の実施の形態８の熱交換換気装置を示す断面図
【図９】本発明の実施の形態９の熱交換換気装置を示す断面図
【図１０】本発明の実施の形態１０の熱交換換気装置を示す断面図
【図１１】本発明の実施の形態１１の熱交換換気装置を示す断面図
【図１２】本発明の実施の形態１２の熱交換換気装置を示す断面図
【図１３】本発明の実施の形態１３の熱交換換気装置を示す断面図
【図１４】本発明の実施の形態１４の熱交換換気装置を示す断面図
【図１５】従来の熱交換換気装置の熱交換運転時を示す断面図
【図１６】同熱交換換気装置の給気流遮断時の運転を示す断面図
【図１７】同熱交換換気装置の給気流遮断運転で排気流一部循環を示す断面図
【符号の説明】
【０１１６】
４、４ａ、４ｂ、４ｃ、４ｄ、４ｅ・・・排気流
４ｆ、４ｇ、４ｈ、４ｉ、４ｊ・・・室内空気循環流
４ｋ、４ｌ、４ｍ、４ｎ、４ｏ・・・室内空気循環流
４ｐ、４ｑ、４ｒ、４ｓ、４ｔ・・・室内空気循環流
７・・・・給気流
９、９ａ、９ｂ、９ｃ、９ｄ、９ｅ・・・熱交排気流路
１０、１０ａ、１０ｂ、１０ｃ、１０ｄ、１０ｅ・・・熱交給気流路
１１・・・熱交換器
１２、１２ａ、１２ｂ、１２ｃ、１２ｄ、１２ｅ・・・熱交換素子
１３・・・給気温度検知手段
１４・・・室外温度検知手段
１５・・・室内温度検知手段
１６・・・室内湿度検知手段
１７・・・排気温度検知手段
１８・・・風速検知手段
１９・・・静圧検知手段
【図１】
2008286421.tif 000003
【図２】
2008286421.tif 000004
【図３】
2008286421.tif 000005
【図４】
2008286421.tif 000006
【図５】
2008286421.tif 000007
【図６】
2008286421.tif 000008
【図７】
2008286421.tif 000009
【図８】
2008286421.tif 000010
【図９】
2008286421.tif 000011
【図１０】
2008286421.tif 000012
【図１１】
2008286421.tif 000013
【図１２】
2008286421.tif 000014
【図１３】
2008286421.tif 000015
【図１４】
2008286421.tif 000016
【図１５】
2008286421.tif 000017
【図１６】
2008286421.tif 000018
【図１７】
2008286421.tif 000019